(57)【特許請求の範囲】
【請求項１】
充電可能なバッテリーを備えた移動機と、電話回線に接続され、前記バッテリーを充電するための充電回路を内蔵する固定機から成り、移動機を固定機に着脱する構成の通信装置であって、移動機と固定機はそれぞれ、互いに接触可能な充電端子を有し、固定機の充電端子と内部の充電回路との間に絶縁スイッチを設け、前記固定機に対して前記移動機を装着していない時には前記絶縁スイッチをオフ状態として固定機の充電端子を充電回路から切り離して電話回線から絶縁し、固定機に対して移動機を装着している時には前記移動機により絶縁スイッチをオン状態として充電回路と接続して充電状態にすることを特徴とする通信装置。
【請求項２】
固定機は移動機を収容する凹部を備え、絶縁スイッチのレバーが前記凹部内に表出し、移動機に前記絶縁スイッチのレバーを押す凸部を設けたことを特徴とする請求項１記載の通信装置。
【請求項３】
絶縁スイッチは、充電端子と電話回線に接続されている充電回路とを絶縁するために必要な端子間距離を確保していることを特徴とする請求項１記載の通信装置。
【請求項４】
絶縁スイッチは、充電回路の正端子と負端子にそれぞれ対応する一対の接点を備え、固定機に対する移動機の着脱に応じて一対の接点が同時に開閉することを特徴とする請求項１記載の通信装置。
【請求項５】
充電可能なバッテリーを備えた移動機と、電話回線に接続され、前記バッテリーを充電するための充電回路を内蔵する固定機から成り、移動機を固定機に着脱する構成の通信装置であって、移動機と固定機はそれぞれ、互いに接触可能な充電端子を有し、前記固定機に対して前記移動機を装着していない時には固定機の充電端子を充電回路から切り離し、固定機に対して移動機を装着している時には前記移動機によって押されたレバーにより前記充電端子と充電回路を接続することを特徴とする通信装置。
【請求項６】
移動機の底面に設けられた充電端子と、移動機内のバッテリーを充電するための充電回路を内蔵した固定機に設けられた充電端子と、移動機に当接可能なレバーを備えた絶縁スイッチとを備えるとともに、前記固定機に対して前記移動機を装着していない時には固定機の充電端子を充電回路から切り離し、固定機に対して移動機を装着している時には前記移動機によって押されたレバーにより前記充電端子と充電回路を接続し、移動機側充電端子が固定機側充電端子を押す力の方向と、移動機がレバーを押す力の方向を変えて移動機の荷重方向を分散させるように構成したことを特徴とする充電端子構造。
【請求項７】
絶縁スイッチは、バネ定数が比較的小さい第１の部分とバネ定数が比較的強い第２の部分を備えた構造を持つバネと、移動機によって押され前記バネを変位させるレバーとを備え、第１の部分によって生じる力によって前記レバーを突出方向に付勢し、第２の部分によって生じる力によって充電端子側の接点を充電回路側の接点に押し付けることを特徴とする請求項６記載の充電端子構造。
【請求項８】
充電可能なバッテリーを備えた移動機と、電話回線に接続され、前記バッテリーを充電するための充電回路を内蔵する固定機から成り、移動機を固定機に着脱する構成の通信装置であって、移動機と固定機はそれぞれ、互い接触可能な充電端子を有し、固定機の充電端子と内部の充電回路との間に絶縁スイッチを設け、前記絶縁スイッチは、バネ定数が比較的小さい第１の部分とバネ定数が比較的強い第２の部分を備えた構造を持つバネと、移動機によって押され前記バネを変位させるレバーとを備え、前記固定機に対して前記移動機を装着していない時には第１の部分によって生じる力によって前記レバーを突出方向に付勢するとともに充電端子側の接点と充電回路側の接点とを離し、固定機に対して移動機を装着している時には前記移動機が前記レバーを押し、前記バネの第２の部分によって生じる力によって充電端子側の接点を充電回路側の接点に押し付けることを特徴とする通信装置。
【請求項９】
移動機内のバッテリーを充電するための充電回路を内蔵した固定機側に出没自在に保持されたレバーと、充電回路につながった第１の接点と、バネ定数が比較的小さい第１の部分とバネ定数が比較的強い第２の部分を備えたダブルトーションバネ構造であって前記レバーを突出方向に付勢するとともに第１の接点と接触する第２の接点としての機能を備えたバネとを備え、前記バネは固定機側に設けられた充電端子と導通し、移動機を固定機に装着していない時には固定機側のレバーは押し込まれること無く、第１の接点と第２の接点とを離して充電回路と充電端子との間は絶縁され、移動機を固定機に装着したとき、レバーが押し込まれ、前記バネが変位して第１の接点と第２の接点が接触して充電回路と充電端子との間が導通することを特徴とする絶縁スイッチ。
【発明の詳細な説明】
【０００１】
【発明の属する技術分野】
本発明は、電話回線を介して通信する通信装置、および子機等の移動機に内蔵されたバッテリーを充電するための充電端子構造および絶縁スイッチに関するものである。
【０００２】
【従来の技術】
一般にコードレス電話機は、親機のクレイドルに子機を装着したときに子機に充電させ、子機を装着しないときに親機の充電端子と電話回線の絶縁を行わせて感電を防止する構成となっている。そして前記親機における充電端子の表出した部分を電話回線から絶縁する手段としては、回路基板上にトランス、フォトカプラ、リレー、コンデンサ等の絶縁部品を使用している。
【０００３】
図１５は従来の通信装置の充電端子を主とする回路構成を示し、図において１は子機であり、充電端子２を備え、親機３のクレイドルに収容自在となっている。８は電源、９は送話回路、１０は受話回路、１１は電話回線である。
【０００４】
親機３は、クレイドルの内側に充電端子４を備え、子機１をクレイドルに収納したとき、子機１の充電端子２と親機３の充電端子４の表出した部分同士を接触させて、子機１内部のバッテリーを充電させるようにしている。
【０００５】
また、前記親機３においては、充電端子４に人体が触れたときの感電防止のために、親機３内部の回路基板上で、２次側の充電回路５と１次側の回線ネットワーク回路６の間を、トランス、フォトカプラ、リレー、コンデンサ等の絶縁部品７で絶縁している。
【０００６】
【発明が解決しようとする課題】
しかしながら上記従来の構成では、親機３の充電端子４に人体が触れたときの感電防止のために、トランス、フォトカプラ、リレー、コンデンサ等の絶縁部品７を使用していることから、コストアップになる。また、絶縁部品７にトランスを使用すると通話ロスが発生し、音質が低下するとともに、トランスのインピーダンスにより電話回線１１とのインピーダンスのマッチングが困難であり、送話信号が受話器に回り込む側音特性の向上が図れないという課題があった。
【０００７】
本発明は上記従来の課題に鑑み、絶縁部品を使用せずに親機の充電端子と電話回線との絶縁を行い、コストダウン、およびトランス廃止による音質の低下防止、側音特性の向上を可能にする通信装置および充電端子構造および絶縁スイッチを提供することを目的とする。
【０００８】
【課題を解決するための手段】
本発明は前記目的を達成するために、トランス、フォトカプラ、リレー、コンデンサ等の絶縁部品に代えて、移動機の装着により作動する絶縁スイッチを設け、この絶縁スイッチにより固定機の充電端子を電話回線から絶縁する構成とする。この構成により、トランス、フォトカプラ、リレー、コンデンサ等の絶縁部品を使用せずに、充電端子の表出した部分と電話回線との間の絶縁を確保する。
【０００９】
【発明の実施の形態】
本発明の第１の発明は、充電可能なバッテリーを備えた移動機と、電話回線に接続され、前記バッテリーを充電するための充電回路を内蔵する固定機から成り、移動機を固定機に着脱する構成の通信装置であって、移動機と固定機はそれぞれ、互い接触可能な充電端子を有し、固定機の充電端子と内部の充電回路との間に絶縁スイッチを設け、固定機に対して移動機を装着していない時には絶縁スイッチをオフ状態として固定機の充電端子を充電回路から切り離して電話回線から絶縁し、固定機に対して移動機を装着している時には前記移動機により絶縁スイッチをオン状態として充電回路と接続して充電状態にすることを特徴とする通信装置であり、このように構成することにより、トランス、フォトカプラ、リレー、コンデンサ等の絶縁部品が不要となり、コストダウンが図れるという作用を有する。
【００１０】
本発明の第２の発明は、第１の発明の通信装置において、絶縁スイッチは固定機のクレイドル内に配置され、移動機に前記絶縁スイッチを作動させる凸部を設けたものであり、人体が不用意に絶縁スイッチに触れてオン状態にしてしまう可能性は少ない。
【００１１】
本発明の第３の発明は、第１の発明の通信装置において、絶縁スイッチは、充電端子と電話回線に接続されている充電回路とを絶縁するために必要な端子間距離を確保させたものであり、安全性を確保するという作用を有する。
【００１２】
本発明の第４の発明は、固定機の充電端子を移動機が装着されている場合、その正端子及び負端子の一対の接点が、同時に接続され、移動機が装着されていない場合、その端子及び負端子の一対の接点が、同時に切り離され、充電回路及び、電話回線の１次側、２次側を、ＯＮ又は、ＯＦＦすることを特徴とし、感電等に対する安全性を確保するという作用を有する。
【００１３】
本発明の第５の発明は、移動機の底面に設けられた充電端子と、移動機内のバッテリーを充電するための充電回路を内蔵した固定機に設けられた充電端子と、移動機に当接可能なレバーを備えた絶縁スイッチとを備えるとともに、前記固定機に対して前記移動機を装着していない時には固定機の充電端子を充電回路から切り離し、固定機に対して移動機を装着している時には前記移動機によって押されたレバーにより前記充電端子と充電回路を接続し、移動機側充電端子が固定機側充電端子を押す力の方向と、移動機がレバーを押す力の方向を変え、移動機の荷重方向を分散させるように構成したことを特徴とする充電端子構造であり、このように移動機の荷重方向を分散させることで充電時の回線を接続、非充電時の回線を絶縁することを特徴とする充電端子構造であり、この構成により、限られた子機自重を利用し機能を果たす為、子機自重の増加や子機位置を固定する機構を廃止できる為、部品点数の削減や構造の簡素化に有効である。
【００１５】
以下、本発明の通信装置の一例としてコードレス電話機について具体的に
説明する。
【００１６】
（実施の形態１）
図１は、本実施の形態のコードレス電話機の回路構成図である。なお、前記従来の技術として説明したコードレス電話機と同一の構成部には同一符号を付与している。
【００１７】
図１において、１はコードレス電話機の子機（移動機）、２は子機１に備わった充電端子である。３はコードレス電話機の親機（固定機）である。親機３は電話回線に接続するための回線ネットワーク回路等の他に、子機１内のバッテリーを充電するための充電回路を内蔵している。
【００１８】
４は親機３に備わった充電端子である。子機１は、親機３に形成された凹部すなわちクレイドルに収容自在となっている。５は充電回路、６は回線ネットワーク回路である。８は電源、９は送話回路、１０は受話回路、１１は電話回線である。
【００１９】
親機３は、クレイドルの内側に充電端子４を備え、子機１をクレイドルに収納したとき、子機１の充電端子２と親機３の充電端子４の表出した部分同士が接触する。１２は絶縁スイッチである。絶縁スイッチ１２は、親機３における２次側と１次側間、ここでは親機３の充電端子４と充電回路５間に設けられ、充電回路５の正端子と負端子にそれぞれ対応する一対の接点１２ａ，１２ｂを備えている。絶縁スイッチ１２は親機３への子機１の装着により作動し、一対の接点１２ａ，１２ｂが同時に開閉する。親機３から子機１を離した時には、接点１２ａ，１２ｂの双方が充電回路５から離され、充電回路５の正端子と負端子は共に充電端子４から電気的に遮断される。
【００２０】
絶縁スイッチ１２は、以上に示すように構成され、感電防止のため人体が触れることのないように親機３のキャビネットより凹んだ位置、すなわち親機３のクレイドル１３内の充電端子４に近接した位置に設けられている。
【００２１】
図２は本発明の実施の形態における充電端子構造および絶縁スイッチを備えたコードレス電話機を示す外観図である。図２において、充電端子２は子機１の底面に設けられている。１ａは子機１の底部に突設され、親機側のレバーを押す突起部である。
【００２２】
図３（ｂ）は親機３を図３（ａ）に示した線Ａ−Ａに沿って切断した場合の断面図、図３（ｃ）は親機３を図３（ａ）に示した線Ｂ−Ｂに沿って切断した場合の断面図である。図３（ｃ）において、親機３に設けた充電端子４は金属製の板バネ材を折り曲げ加工することによって作られている。充電端子４は、先端がクレイドルの内側に表出し、バネ性を有する板状部１４によって突出する方向に付勢されている。１５は出没自在に保持されたレバーである。１６は充電回路側と電気的に接続された板バネ材である。
【００２３】
子機１を親機３に収納していないときは、親機側のレバー１５は押し込まれること無くは図３（ｃ）に示すように、親機側の充電端子４と充電回路との間を遮断し、絶縁スイッチ１２はオフ状態となる。この時、回路上では充電端子４の表出した部分と電話回線１１は絶縁される。
【００２４】
図４に示すように、子機１を親機３のクレイドル上に載置すると、子機１の突起部１ａによってレバー１５が押され、このレバー１５が板バネ材１６を押して板状部１４に接触させる。板バネ材１６と板状部１４が接触することにより、充電回路と充電端子４が導通し、絶縁スイッチ１２はオン状態となる。これにより、充電回路からの充電電流が板バネ材１６，板状部１４，充電端子４，充電端子２を介して子機へ流れ、子機内のバッテリーが充電される。また回路上、親機側の充電端子４の表出金属と電話回線１１とが導通することになるが、この状態では充電端子４を人が触れることは不可能である。
【００２５】
以上のように本実施の形態のコードレス電話機の充電端子絶縁装置は、親機における充電端子の表出した部分を電話回線から絶縁するために、子機の親機への着脱で作動する絶縁用の絶縁スイッチを設けたことにより、従来、絶縁するために使用していたトランス、フォトカプラ、リレー、コンデンサ等の絶縁部品が不要となり、コストダウンが可能となる。また、トランス廃止による音質低下の防止、および側音特性の向上が可能となる。
【００２６】
（実施の形態２）
図５は本発明の他の実施の形態における充電端子構造を示す外観図、図６は同実施の形態におけるコードレス電話機の充電端子の部分を示す平面図である。図５および図６において、充電端子２は子機１の底面に設けられている。親機３に設けられた絶縁スイッチは、子機１を親機３に収納していないときに親機側の充電端子４と充電回路との間を遮断する。
【００２７】
図７（ａ）は同実施の形態における充電端子構造の移動機側の構造を示す詳細図、図７（ｂ）は同実施の形態における充電端子構造および絶縁スイッチの構造細図図である。図７において、２２は出没自在に保持されたレバーである。レバー２２の先端部２２ａはクレイドルの底部に表出している。矢印Ａは子機側の充電端子２が親機側の充電端子４を押す力の方向を示す。また矢印Ｂは子機がレバー２２を押す力の方向を示す。このように２つの力の方向を変え、子機の荷重方向を分散させている。
【００２８】
２４は充電端子４と導通した金属板である。２３はダブルトーションバネ構造を持ったトーションバネであり、トーションバネ２３はレバー２２を突出方向に付勢するとともに、金属板２４と接触する充電回路側接点としての機能を兼ね備えている。
【００２９】
図８は同実施の形態における絶縁スイッチのトーションバネの構造を示す詳細図である。２３ａは第１のコイル部、２３ｂは第２のコイル部である。２３ｃは接点である。トーションバネ２３は充電回路と電気的に導通接続した状態で保持され、トーションバネ２３の接点２３ｃが金属板２４と接触することにより、充電回路と充電端子４が導通するようになる。
【００３０】
第１のコイル部２３ａにおけるバネ定数は比較的小さく、第１のコイル部２３ａによって生じる力によってレバー２２を突出方向に付勢している。第２のコイル部２３ｂにおけるバネ定数は比較的強く、第２のコイル部２３ｂによって生じる力によって接点２３ｃが金属板２４に押し付けられる。
【００３１】
また、絶縁スイッチ１２の端子間距離すなわちオフ状態における接点２３ｃと金属板２４の間隔は２．５ｍｍ（各国の規格により異なる）として安全性を確保している。そして、金属板２４は親機３の充電端子４に接続され、トーションバネ２３は充電回路５に接続され、絶縁スイッチのオン／オフ動作により親機３の充電端子４と充電回路５間を接続、切り離すようにしている。
【００３２】
子機１において、１ａは子機１の底部に突設され、レバー２２を押す突起部である。図中の１７は親機３内の回路基板である。
【００３３】
子機１を親機３のクレイドル１３に収納していない状態では、絶縁スイッチが図７に示すように親機側のレバー２２は押し込まれること無く、金属板２４と接点２３ｃを離し、オフ状態となる。この時、回路上では充電端子４の表出した部分と電話回線１１は絶縁される。
【００３４】
子機１を親機３のクレイドル１３に収納した状態では、子機１の突起部１ａにより絶縁スイッチ１２のレバー２２を押し、絶縁スイッチ１２がオン状態となる。図９は同絶縁スイッチにおいて、レバー２２が押し込まれた状態を示す。子機１を親機３に収納するとき、子機の突起部１ａがレバー２２に当たり、レバー２２が図９に示すように押し込まれる。それに伴ってトーションバネ２３は円運動を行い、内部の接点２３ｃが金属板２４に接する。
【００３５】
このように金属板２４と接点２３ｃが接することで充電回路からの充電電流が金属板２４，接点２３ｃ，充電端子４，充電端子２を介して子機へ流れ、子機内のバッテリーが充電される。また回路上、親機側の充電端子４の表出金属と電話回線１１とが導通することになるが、この状態では充電端子４を人が触れることは不可能である。
【００３６】
（実施の形態３）
図１０は本発明の他の実施の形態における充電端子構造を示す外観図、図１１は同充電端子構造の親機側の構造を示す平面図である。図１０および図１１において親機側の充電端子４と子機側の充電端子２は前実施の形態の場合と同じ位置に配置されている。親機３に設けられた絶縁スイッチは、前実施の形態の場合と同様、子機１を親機３に収納していないときに親機側の充電端子４と充電回路との間を遮断する。
【００３７】
図１２（ａ）は本発明の第３実施の形態における充電端子構造の移動機側の構造を示す詳細図、図１２（ｂ）は同実施の形態における充電端子構造および絶縁スイッチの構造を示す詳細図である。図１２において、３２は親機３のクレイドル底部に出没自在に保持されたレバーである。レバー３２は支点３７を中心として回動可能に保持され。レバー３２の先端部３２ａはクレイドルの底部に表出しているている。ここでも、子機側の充電端子２が親機側の充電端子４を押す力の方向と、子機がレバー３２を押す力の方向を変え、子機の荷重方向を分散させている。
【００３８】
３３ａおよび３３ｂは親機３のクレイドル底部に突設されたリブであり、レバー３２の両側であつてレバー３２を挟むように配置されている。人の指がレバー３２を押そうとしても、リブ３３ａ，３３ｂによってレバー３２が押し込まれるのを阻止している。
【００３９】
子機１において、３４はレバー３２を押すための突起部である。突起部３４の幅はリブ３３ａ，３３ｂの間隔よりも狭く、この突起部３４はリブ３３ａとリブ３３ｂの間に入り込み、レバー３２が押し込むことが出来る。
【００４０】
１７は親機３内の回路基板である。３５は充電端子４と導通した金属板である。３６はダブルトーションバネ構造を持ったトーションバネであり、トーションバネ３６はレバー３２を突出方向に付勢するとともに、金属板３５と接触する充電回路側接点としての機能を兼ね備えている。
【００４１】
図１４はトーションバネ３６の構造を示す詳細図である。３６ａは第１のコイル部、３６ｂは第２のコイル部である。３６ｃは接点である。トーションバネ３６は充電回路と電気的に導通接続した状態で保持され、トーションバネ３６の接点３６ｃが金属板３５と接触することにより、充電回路と充電端子４が導通するようになる。
【００４２】
第１のコイル部３６ａにおけるバネ定数は比較的小さく、第１のコイル部３６ａによって生じる力によってレバー３２を突出方向に付勢している。第２のコイル部３６ｂにおけるバネ定数は比較的強く、第２のコイル部３６ｂによって生じる力によって接点３６ｃが金属板３５に押し付けられる。
【００４３】
そして、金属板３５は親機３の充電端子４と導通しており、トーションバネ３６は充電回路５に接続される。このように絶縁スイッチのオン／オフ動作により親機３の充電端子４と充電回路間５を接続、切り離すようにしている。
【００４４】
子機１を親機３のクレイドル１３に収納していない状態では、絶縁スイッチ３２が図１２（ｂ）に示すように親機側のレバー３２は押し込まれること無く、金属板３５と接点３６ｃを離し、オフ状態となる。この時、回路上では充電端子４の表出した部分と電話回線１１は絶縁される。またクレイドル底部に突設されたリブ３３ａ，３３ｂにより、不用意に人がレバー３２を押してしまうことがない。
【００４５】
子機１を親機３のクレイドル１３に収納した状態では、図１３に示すように子機１の突起部３４によりレバー３２を押し、トーションバネ３６の接点３６ｃが金属板３５に接し、絶縁スイッチはがオン状態となり、子機内のバッテリーが充電される。また回路上、親機側の充電端子４の表出金属と電話回線１１とが導通することになるが、この状態では充電端子４を人が触れることは不可能である。
【００４６】
図１５は、固定機に対する移動機の着脱に応じて接点が、同時に開閉する構造を説明する図である。レバー３２ａは、親機３のクレイドル部に出没自在に保持されたレバーであり、子機１を親機３へ装着時、レバー３２ａは子機突起部３４を押し、レバー３２を支点としながら回転する。同時に、ダブルトーションバネ３６ｂをレバー３２が押すことによりダブルトーションバネの接点３６ｃと金属板３５を接触させる構造である。上記一連の運動により金属板ａ（仮に正端子）金属板ｂ（仮に情報端子）金属板ｃ（仮に負端子）が、同時にダブルトーションバネ達と接触する。また、子機１が親機３から取り外される時は、上記記述の逆の運動をする事により、金属板３５のａ、ｂ、ｃが、同時にダブルトーションバネ達から離れる構造である。
【００４７】
【発明の効果】
上記の説明より明らかなように、本発明は固定機における充電端子を電話回線から絶縁するために、移動機の固定機への着脱で作動する絶縁用の絶縁スイッチを設けた通信装置としたため、従来、絶縁するために使用していたトランス、フォトカプラ、リレー、コンデンサ等の絶縁部品が不要となり、コストダウンが可能となり、また、トランス廃止による音質低下の防止、および側音特性の向上が可能となる。またトランスのインピーダンスを考慮した設計が必要でなくなり、電話回線とのインピーダンスのマッチングが容易となり、さらに通話信号が受話器に回り込む側音特性の向上が図れる。
【図面の簡単な説明】
【図１】本発明の第１の実施の形態のコードレス電話機の回路構成図
【図２】同実施の形態における充電端子構造および絶縁スイッチを備えたコードレス電話機を示す外観図
【図３】（ａ）同実施の形態における充電端子構造の親機における充電端子を示す図
（ｂ）同実施の形態において親機を図３（ａ）に示した線Ａ−Ａに沿って切断した場合の断面図
（ｃ）同親機を図３（ａ）に示した線Ｂ−Ｂに沿って切断した場合の断面図
【図４】同実施の形態における充電端子構造およぴ絶縁スイッチの構造を示す詳細図
【図５】本発明の第２の実施の形態における充電端子構造および絶縁スイッチを備えたコードレス電話機を示す外観図
【図６】同実施の形態におけるコードレス電話機の充電端子の部分を示す平面図
【図７】（ａ）本発明の第２実施の形態における充電端子構造の移動機側の構造を示す詳細図
（ｂ）同実施の形態における充電端子構造および絶縁スイッチの構造細図
【図８】本発明の実施の形態における絶縁スイッチのトーションバネの構造を示す詳細図
【図９】本発明の第２の実施の形態における絶縁スイッチの構造を示す詳細図
【図１０】本発明の第３の実施の形態における充電端子構造を示す外観図
【図１１】同充電端子構造の親機側の構造を示す平面図
【図１２】（ａ）本発明の第３実施の形態における充電端子構造の移動機側の構造を示す詳細図
（ｂ）同実施の形態における充電端子構造および絶縁スイッチの構造を示す詳細図
【図１３】同実施の形態における充電端子構造およぴ絶縁スイッチの構造を示す詳細図
【図１４】同実施の形態におけるトーションバネの構造を示す詳細図
【図１５】同実施の形態における固定機に対する移動機の着脱において、一対の接点が同時に開閉する構造を示す詳細図
【図１６】従来のコードレス電話機の充電端子絶縁装置の回路構成図
【符号の説明】
１  子機
２  充電端子
３  親機
４  充電端子
５  充電回路
６  回線ネットワーク回路
８  電源
９  送話回路
１０  受話回路
１１  電話回線
１２  絶縁スイッチ
１３  クレイドル
１４  板状部
１６  板バネ材
１７  基板
【図１】
0004337166.tif 000002
【図２】
0004337166.tif 000003
【図３】
0004337166.tif 000004
【図４】
0004337166.tif 000005
【図５】
0004337166.tif 000006
【図６】
0004337166.tif 000007
【図７】
0004337166.tif 000008
【図８】
0004337166.tif 000009
【図９】
0004337166.tif 000010
【図１０】
0004337166.tif 000011
【図１１】
0004337166.tif 000012
【図１２】
0004337166.tif 000013
【図１３】
0004337166.tif 000014
【図１４】
0004337166.tif 000015
【図１５】
0004337166.tif 000016
【図１６】
0004337166.tif 000017